(57)【要約】【課題】放送番組の世間の関心度を取得してユーザの番組選択の便宜に資する。【解決手段】ＣＰＵ１３は、ＬＡＮインターフェイス１８及びＬＡＮカード１９を用い、前記ＵＲＬにて検索サイトにアクセスし、検索ワード（番組情報内の各番組のタイトル）を送出し、各タイトルについてのヒット件数を取得する。ＣＰＵ１３は、上記ヒット件数に基づき、数値が多いほど世間の関心度が高い放送番組であるとみなして、数値から成る、各放送番組の世間関心度情報を生成する。例えば、ヒット件数が１万件以上を世間関心度１００点、１万件未満で５千件以上を６０点、５千件未満で千件以上を３０点、千件未満を０点とする。各放送番組の世間関心度をユーザの求めに応じて様々な形態で表示する。【選択図】図１
2008078946.tif 000002
【特許請求の範囲】
【請求項１】
ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、各放送番組の番組情報における少なくともタイトル又は出演者の情報を前記情報提供資源としての検索エンジン提供資源に与え、該検索エンジン提供資源にて示された検索ヒット件数が多いほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とするディジタル放送受信装置。
【請求項２】
ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、前記情報提供資源としてのランキング情報提供資源から取得したランキング情報内で高くランキングされている語を前記番組情報に持つ放送番組ほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とするディジタル放送受信装置。
【請求項３】
ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、前記情報提供資源としてのランキング情報提供資源から取得したランキング情報内でランキングされている語を前記番組情報に多く持つ放送番組ほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とするディジタル放送受信装置。
【請求項４】
ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、を備え、前記情報通信手段は、各放送番組の世間の関心度情報を提供する、前記情報提供資源としての番組関心度情報提供資源から各放送番組の世間の関心度情報を取得し、更に該ディジタル放送受信装置は、放送番組の世間関心度がユーザに認識されるように前記世間の関心度情報に基づく表示処理を行う提示手段を備えることを特徴とするディジタル放送受信装置。
【請求項５】
請求項１乃至請求項４のいずれかに記載のディジタル放送受信装置において、数値から成る、前記各放送番組の世間関心度情報に基づいて、図柄から成る、各放送番組の世間関心度情報を生成する手段を備えたことを特徴とするディジタル放送受信装置。
【請求項６】
請求項１乃至請求項５のいずれかに記載のディジタル放送受信装置において、ディジタル放送の視聴履歴、ディジタル放送の録画履歴、及びユーザにより入力された情報のいずれか一つ以上の情報から、各放送番組のユーザ関心度情報を生成する手段と、各放送番組のユーザ関心度情報と各放送番組の世間関心度情報とに基づき、放送番組の世間関心度情報の値が高くても該放送番組のユーザ関心度情報の値が低いならば該放送番組の推奨度情報の値を低くした該ユーザに対する推奨度情報を生成する手段とを備え、前記提示手段は、前記ユーザに対する推奨度情報がユーザに認識されるように前記推奨度情報に基づく表示処理を行うことを特徴とするディジタル放送受信装置。
【請求項７】
請求項６に記載のディジタル放送受信装置において、数値から成る、前記各放送番組の推奨度情報に基づいて、図柄から成る、各放送番組の推奨度情報を生成する手段を備えたことを特徴とするディジタル放送受信装置。
【請求項８】
請求項１乃至請求項７のいずれかに記載のディジタル放送受信装置において、前記提示手段は、放送番組の一覧表示及び／又は電子番組ガイド表示を行う際に、各放送番組の表示欄上で、各放送番組の世間関心度又は各放送番組の推奨度を表示するようにしたことを特徴とするディジタル放送受信装置。
【請求項９】
請求項１乃至請求項８のいずれかに記載のディジタル放送受信装置において、前記提示手段は、各放送番組の世間関心度又は各放送番組の推奨度の数値が高い順に並べて、放送番組を一覧表示することを特徴とするディジタル放送受信装置。
【請求項１０】
請求項１乃至請求項９のいずれかに記載のディジタル放送受信装置において、現在放送されている放送番組のなかで、放送番組の世間関心度又は放送番組の推奨度の数値が最も高い放送番組を選局して画面表示する手段を備えたことを特徴とするディジタル放送受信装置。
【請求項１１】
請求項１０に記載のディジタル放送受信装置において、選局してから一定時間が経過した場合に、この一定時間が経過した時点で放送されている放送番組のなかで、放送番組の世間関心度又は放送番組の推奨度の数値が最も高い放送番組を選局して画面表示することを特徴とするディジタル放送受信装置。
【請求項１２】
請求項１乃至請求項１１のいずれかに記載のディジタル放送受信装置において、各放送番組の世間関心度又は各放送番組の推奨度の過去から現在に至る数値を保持する手段を備え、前記提示手段は、ユーザによって指定された放送番組についての世間関心度又は推奨度の過去から現在に至る数値からグラフを作成して表示することを特徴とするディジタル放送受信装置。
【発明の詳細な説明】
【技術分野】
【０００１】
この発明は、ディジタル放送を受信するディジタル放送受信装置に関し、例えば、ＴＶ受信装置、ハードディスクレコーダ、携帯電話、ディジタル放送受信機能付きカーナビゲーション、パーソナルコンピュータなどに利用される。
【背景技術】
【０００２】
従来より、電子番組ガイドを表示する機能を備え、この電子番組ガイド上で各種の情報を表示することにより、ユーザの番組選択の便宜に資することが行われている（特許文献１参照）。
【特許文献１】特開２００４−３３６５９５号公報
【発明の開示】
【発明が解決しようとする課題】
【０００３】
ところで、ディジタル放送を視聴するユーザの要望の一つとして、世間において関心が持たれている番組、或いは、関心が持たれている女優が出演している番組（かかる番組も世間において関心が持たれている番組とみなすことができる）を見てみたいと思うことがある。しかしながら、例えば、世間においてどの番組に関心が持たれているかが分からない場合が多い。また、世間で関心が持たれている女優の名前を番組情報における番組内容情報などから見つけ出すのは面倒である上に、そもそもどのような女優が世間で関心が持たれているのかさえ分からない場合もある。
【０００４】
この発明は、上記の事情に鑑み、放送番組の世間の関心度を取得してユーザの番組選択の便宜に資することができるディジタル放送受信装置を提供することを目的とする。
【課題を解決するための手段】
【０００５】
この発明のディジタル放送受信装置は、上記の課題を解決するために、ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、各放送番組の番組情報における少なくともタイトル又は出演者の情報を前記情報提供資源としての検索エンジン提供資源に与え、該検索エンジン提供資源にて示された検索ヒット件数が多いほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とする。
【０００６】
また、この発明のディジタル放送受信装置は、ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、前記情報提供資源としてのランキング情報提供資源から取得したランキング情報内で高くランキングされている語を前記番組情報に持つ放送番組ほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とする。
【０００７】
また、この発明のディジタル放送受信装置は、ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、前記情報提供資源としてのランキング情報提供資源から取得したランキング情報内でランキングされている語を前記番組情報に多く持つ放送番組ほど世間の関心度が高い放送番組であるとみなして、各放送番組の世間関心度情報を生成する番組関心度生成手段と、放送番組の世間関心度がユーザに認識されるように前記世間関心度情報に基づく表示処理を行う提示手段と、を備えたことを特徴とする。
【０００８】
また、この発明のディジタル放送受信装置は、ディジタル放送を受信する放送受信手段と、ネットワーク上の情報提供資源にアクセスして情報を取得する情報通信手段と、放送番組がどのような番組であるかを示す番組情報を前記放送受信手段又は前記情報通信手段にて取得する番組情報取得手段と、を備え、前記情報通信手段は、各放送番組の世間の関心度情報を提供する、前記情報提供資源としての番組関心度情報提供資源から各放送番組の世間の関心度情報を取得し、更に該ディジタル放送受信装置は、放送番組の世間関心度がユーザに認識されるように前記世間の関心度情報に基づく表示処理を行う提示手段を備えることを特徴とする。
【０００９】
これら構成のディジタル放送受信装置であれば、放送番組の世間の関心度を取得できるので、ユーザの番組選択の便宜に資することが可能になる。
【００１０】
これら構成のディジタル放送受信装置において、数値から成る、前記各放送番組の世間関心度情報に基づいて、図柄から成る、各放送番組の世間関心度情報を生成する手段を備えてもよい。
【００１１】
また、これら構成のディジタル放送受信装置において、ディジタル放送の視聴履歴、ディジタル放送の録画履歴、及びユーザにより入力された情報のいずれか一つ以上の情報から、各放送番組のユーザ関心度情報を生成する手段と、各放送番組のユーザ関心度情報と各放送番組の世間関心度情報とに基づき、放送番組の世間関心度情報の値が高くても該放送番組のユーザ関心度情報の値が低いならば該放送番組の推奨度情報の値を低くした該ユーザに対する推奨度情報を生成する手段とを備え、前記提示手段は、前記ユーザに対する推奨度情報がユーザに認識されるように前記推奨度情報に基づく表示処理を行うこととしてもよい。かかる構成において、前記各放送番組の推奨度情報に基づいて、図柄から成る、各放送番組の推奨度情報を生成する手段を備えていてもよい。
【００１２】
また、これら構成のディジタル放送受信装置において、前記提示手段は、放送番組の一覧表示及び／又は電子番組ガイド表示を行う際に、各放送番組の表示欄上で、各放送番組の世間関心度又は各放送番組の推奨度を表示するようにしてもよい。
【００１３】
これら構成のディジタル放送受信装置において、前記提示手段は、各放送番組の世間関心度又は各放送番組の推奨度の数値が高い順に並べて、放送番組を一覧表示することとしてもよい。
【００１４】
これら構成のディジタル放送受信装置において、現在放送されている放送番組のなかで、放送番組の世間関心度又は放送番組の推奨度の数値が最も高い放送番組を選局して画面表示する手段を備えていてもよい。かかる構成において、選局してから一定時間が経過した場合に、この一定時間が経過した時点で放送されている放送番組のなかで、放送番組の世間関心度又は放送番組の推奨度の数値が最も高い放送番組を選局して画面表示することとしてもよい。
【００１５】
また、これら構成のディジタル放送受信装置において、各放送番組の世間関心度又は各放送番組の推奨度の過去から現在に至る数値を保持する手段を備え、前記提示手段は、ユーザによって指定された放送番組についての世間関心度又は推奨度の過去から現在に至る数値からグラフを作成して表示することとしてもよい。
【発明の効果】
【００１６】
この発明によれば、放送番組の世間の関心度を取得してユーザの番組選択の便宜に資することができるという効果を奏する。
【発明を実施するための最良の形態】
【００１７】
以下、この発明の実施形態のディジタル放送受信装置を図１乃至図５に基づいて説明する。
【００１８】
図１には、地上ディジタルチューナ付きのＨＤＤレコーダ（更にＤＶＤプレーヤ２２も付加されている）３０を示している。アンテナ１は地上放送局から送られてくる地上ディジタル放送信号を受信する。
【００１９】
地上ディジタルチューナ２は、映像音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００２０】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。ＡＶデコーダ部はビデオストリームに対してデコードを行うビデオデコーダ、オーディオストリームに対してデコードを行うオーディオデコーダから成る。ビデオデコーダから出力される映像データは映像処理部４に出力され、オーディオデコーダから出力される音声データは音声処理部５に出力される。なお、前記ＰＳＩ／ＳＩには、各番組がどのような番組かを示す番組情報（タイトル、開始時刻、継続時間、ジャンル情報、番組内容詳細など）が含まれている。ＣＰＵ１３は、ＯＳＤ（オンスクリーンディスプレイ）機能と上記番組情報とを用いることで、各受信装置側で自在にデザインした電子番組ガイド（ＥＰＧ）を画面に表示する。
【００２１】
映像処理部４は、受信映像の映像データを受け取ってＤ／Ａ変換及びダウンデコード処理などを行い、例えばコンポジット映像信号を出力する。また、映像処理部４は前記ＯＳＤ機能を有し、ＣＰＵ１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００２２】
映像信号はアンプ７を経て映像出力部１１に供給される。音声データはＤ／Ａ変換アンプ８を経てアナログ信号に変換されて音声出力部１２に入力される。映像出力部１１及び音声出力部１２には、図示しないＡＶ出力端子を介して図示しないディスプレイ及びスピーカが接続される。
【００２３】
メモリ（ＲＡＭ、ＥＥＰＲＯＭ、フラッシュメモリ、ＲＯＭ等）１４には、各種プログラムやデータなどが格納される。例えば、ＲＯＭにアプリケーションプログラムや各種データを格納する。当該レコーダ３０の電源ＯＮ時に、ＣＰＵ１３は、ＲＯＭに格納されているプログラムやデータをＲＡＭに展開し、ＲＡＭ上のプログラムを実行する。このプログラムには、ＨＤＤ１７、ＵＳＢインターフェイス２０、ＬＡＮインターフェイス１８を制御するドライバやプロトコルスタックが含まれる。
【００２４】
リモコン送信機１５は、当該レコーダ３０に指令を送出するための送信機である。このリモコン送信機１５に設けられたキーを操作すると、そのキーに対応した指令を意味する信号光（リモコン信号）が図示しない発光部から送出される。受光部１６は、前記リモコン送信機１５のキーが操作されたときに出力される信号光を受光し、これを電気信号に変換してコード解析を行い、チャンネル番号情報等をＣＰＵ１３に与える。
【００２５】
ＬＡＮインターフェイス１８にはＬＡＮカード１９を装着することができる。ＬＡＮカード１９を装着することにより、インターネット接続環境を作り出すことができる。メモリ１４或いはＬＡＮカード１９には、サーバ５０（このサーバ５０は、検索サイト（検索エンジン提供資源）、ランキングサイト（ランキング情報提供資源）、各放送番組の世間の関心度情報を提供するサイトなどである）の設置アドレス（ＵＲＬ）が格納されている。ＣＰＵ１３は、例えば、ユーザから指示を受けたとき、或いは、予め定められた毎日の所定日時になると、前記ＬＡＮインターフェイス１８を起動させ、前記ＵＲＬを用いて前記サーバ５０にアクセスする。データ通信には、例えばＴＣＰ/ ＩＰをベースに、ＦＴＰ（ファイル・トランスファ・プロトコル）やＨＴＴＰ（ハイパー・テキスト・トランスファ・プロトコル）を用いることができる。
【００２６】
ＣＰＵ１３は、当該レコーダ３０の全体制御を行う他、この発明に係わる処理として以下の処理を実行する。
【００２７】
（１）検索サイトを利用した放送番組の世間関心度の生成
ＣＰＵ１３は、ＬＡＮインターフェイス１８及びＬＡＮカード１９を用い、前記ＵＲＬにて検索サイトにアクセスし、検索ワードを送出する。処理内容の一例を図２のフローチャートに示す。ＣＰＵ１３は、各放送番組の番組情報から前記検索ワードとなる番組タイトルを抽出する（ステップＳ１）。次に、ＣＰＵ１３は、検索サイト（検索エンジン）を選択する（ステップＳ２）。検索サイト（検索エンジン）としては、例えば、Ｇｏｏｇｌｅ、Ｙａｈｏｏ、Ｇｏｏ、Ｉｎｆｏｓｅｅｋ、ｅｘｃｉｔｅなど（いずれも商標）がある。ユーザは、検索サイトを予め選択しておけばよい。
【００２８】
次に、ＣＰＵ１３はＵＲＬのエンコード処理を行う（ステップＳ３）。なお、検索エンジンの種類によって文字コードが異なっている（Ｙａｈｏｏ、Ｇｏｏ、ＩｎｆｏｓｅｅｋはＥＵＣ−ＪＰであり、Ｇｏｏｇｌｅ、ｅｘｃｉｔｅはＵＴＦ−８（８−bit UCS Transformation format ）である）。次に、ＣＰＵ１３は、ＨＴＴＰＧｅｔリクエストパケットの発行を行う（ステップＳ４）。例えば、検索エンジンがＧｏｏｇｌｅであり、検索ワードが「プロジェクトＹ」であれば、「ＧＥＴ  ｈｔｔｐ：／／ｗｗｗ．ｇｏｏｇｌｅ．ｃｏ．ｊｐ／ｓｅａｒｃｈ？ｈｌ＝ｊａ＆ｑ＝プロジェクトＹ」といったリクエストを発行する。そして、ＣＰＵ１３は、ＨＴＴＰＧｅｔレスポンスパケットを取得する（ステップＳ５）。そして、このレスポンスから、ＣＰＵ１３は、ヒット件数を取得する（ステップＳ６）。例えば、検索エンジンがＧｏｏｇｌｅであれば、「Swrnum=** 」における「**」を取得する。
【００２９】
ＣＰＵ１３は、例えば現在保持している番組情報内の各番組のタイトルについて、上述したヒット件数の取得処理を行う。これにより、各番組のタイトルについてのヒット件数を示す数値を取得できたことになる。
【００３０】
ＣＰＵ１３は、上記の数値（ヒット件数）に基づき、数値が多いほど世間の関心度が高い放送番組であるとみなして、数値から成る、各放送番組の世間関心度情報を生成する。一例として、１００点，６０点，３０点、０点のごとく４段階で世間関心度を点数化するのであれば、ヒット件数が１万件以上を１００点、１万件未満で５千件以上を６０点、５千件未満で千件以上を３０点、千件未満を０点とする。このように数段階で世間関心度を表す場合、前記点数（数値）に基づいて、図柄から成る、各放送番組の世間関心度情報を生成することもできる。例えば、１００点は☆☆☆、６０点は☆☆、３０点は☆のごとくである。勿論、その他の手法による関心度（数値）の生成を行ってもよい。例えば、最も多いヒット件数を１００とし、最も低いヒット件数を０とし、他のヒット件数を数値化することとしてもよい。
【００３１】
なお、上記の例では、番組のタイトルを検索ワードとしたが、これに限るものではない。例えば、番組における出演者の名前を検索ワードとし、その検索結果に基づいて該番組の世間の関心度を生成してもよい。また、タイトル名、放送局名、及び番組ジャンルなど、複数の語のアンドやオアによる検索結果を取得することとしてもよい。また、ＨＴＴＰプロトコルのＧｅｔリクエストに限るものでもないし、また、汎用の検索エンジンに限るものでもない。ＨＴＴＰプロトコル以外のプロトコルを利用してもよい。
【００３２】
（２）ランキングサイトを利用した放送番組の世間関心度の生成
ＣＰＵ１３は、ＬＡＮインターフェイス１８及びＬＡＮカード１９を用い、予め記憶しているＵＲＬにてランキングサイトにアクセスし、ランキングされている語を検索する。ランキングは全く絞りのないランキングでもよいし、女優ランキング、或いは好感度ランキングなどの特定のランキングでもよい。処理内容の一例を図３のフローチャートに示す。ＣＰＵ１３は、ランキングサイトを選択する（ステップＳ１１）。ランキングサイトとしては、例えば、Ｇｏｏｇｌｅ、Ｇｏｏなどがある。ユーザは、ランキングサイトを予め選択しておけばよい。
【００３３】
次に、ＣＰＵ１３は、ＨＴＴＰＧｅｔリクエストパケットの発行を行う（ステップＳ１２）。そして、ＣＰＵ１３は、ＨＴＴＰＧｅｔレスポンスパケットを取得する（ステップＳ１３）。そして、このレスポンスから、ＣＰＵ１３は、ランキングで挙げられている語を取得する（ステップＳ１４）。例えば、レスポンスが以下のようであったとする。
【００３４】
<TD class=rankreala="90%">
<DIV class=realminirankon5> 
<SPAN class="realkey1>
<DIV> 
<A
href="http://search.goo.ne.jp/web.jsp?MT=%BC%E1%CD%B3%C8%FE%BB%D2&amp;from=recentkw&amp;PT=recentkw"> ○山太郎</A>
</DIV>
<SPAN>
</DIV>
</TD> 
</TR> 
..... 
【００３５】
このような形式であれば、「PT=recentkw 」をサーチし、その後に最初に出てくる「> 」から「< 」の間の文字列（上記の例では、○山太郎) をランキングで挙げられている語（以下、ＲＷと略記することがある）として抽出する。上記文字列は他のランキング順位にも存在する。該文字列の抽出を繰り返すことで、ランキングされている全ての文字列（語）を抽出することができる。
【００３６】
また、ＣＰＵ１３は、前記番組情報から番組キーワードを抽出する（ステップＳ１５）。例えば、番組詳細の内容が、「秀吉（○山太郎) と淀（○田花子）の子・鶴松が急逝、淀は寧々による・・・・」であったとする。この場合、ランキングで挙げられている語（ＲＷ）が番組詳細に一つ存在するので、１ポイントが得られたとする（ステップＳ１６）。なお、上記の番組詳細中の語、タイトル、主演者の氏名、放送局名など、番組情報から取得できる番組キーワードをＢＷと略記することがある。
【００３７】
ランキングで挙げられている語（ＲＷ）の総数をＮとし（ＲＷ＝Ｎ個）、番組情報から取得できる番組キーワード（ＢＷ）の総数をＭとすると（ＢＷ＝Ｍ個）、ＲＷとＢＷを総当たりで（Ｎ×Ｍ回）、一致個数を検出する（ステップＳ１７，ステップＳ１８）。一致した総数がポイント数となる（ステップＳ１９）。
【００３８】
なお、番組詳細の内容から名詞である語を抽出するには、形態素解析とよばれる手法を用いるとよい。また、放送局側が、受信装置側での上記一致処理判定を容易にするために、番組情報内に予め前記番組キーワードを付与することとしてもよい。
【００３９】
ＣＰＵ１３は、各放送番組について得られた総ポイント数を各放送番組の世間関心度とみなす処理を行う。すなわち、前記情報提供資源としてのランキング情報提供資源から取得したランキング情報内でランキングされている語を前記番組情報に多く持つ放送番組ほど世間の関心度が高い放送番組であるとみなして、数値から成る、各放送番組の世間関心度情報を生成する。一例として、総ポイント数が６点以上をＡランク、６点未満３点以上をＢランク、３点未満をＣランクとすることができる。このように数段階で世間関心度を表す場合、前記点数に基づいて、図柄から成る、各放送番組の世間関心度情報を生成することもできる。例えば、Ａランクは☆☆☆、Ｂランクは☆☆、Ｃランクは☆のごとくである。勿論、その他の手法による関心度（数値）の生成を行ってもよい。例えば、最も多い総ポイント数を１００とし、最も低いヒット件数を０とし、他のポイント数を数値化することとしてもよい。
【００４０】
上記の処理例では、ランキング順位を考慮しなかったが、ランキング順位を考慮してポイント数を算出してもよい。例えば、第１位にランクされている語には１００点、第２位にランクされている語には９９点、第９９位にランクされている語には２点、第１００位以下にランクされている語には１点のごとくである。また、この場合に、ＲＷとＢＷの総当たりで得られた点数ではなく、最も高い点数が与えられている語の点数を世間関心度とみなしてもよい。また、ランキング順位だけで世間関心度を生成してもよい。
【００４１】
（３）ランキングサイト自身による放送番組の世間関心度の提供
ランキングサイト自身が放送番組の世間関心度（放送番組ランキング）を提供することとしてもよい。例えば、ランキングサイトが放送予定番組のなかでどれを最も見たいかとするアンケートをネット上で常時行い、その回答から放送番組の世間関心度を生成してもよい。例えば、第１位回答が１００件以上の放送番組には１００点、１００件未満で５０件以上を６０点、５０件未満で１０件以上を３０点、１０件未満を０点とする。このように数段階で世間関心度を表す場合、前記点数（数値）に基づいて、図柄から成る、各放送番組の世間関心度情報を生成することもできる。例えば、１００点は☆☆☆、６０点は☆☆、３０点は☆のごとくである。勿論、その他の手法による関心度（数値）の生成を行ってもよい。例えば、第１位回答の件数が最も多いものを１００とし、最も低いものを０とし、他の第１位回答を数値化することとしてもよい。なお、ランキングサイトは、先述した（１）及び（２）の手法にて各放送番組の世間関心度情報を生成することもできる。
【００４２】
ＣＰＵ１３は、ＬＡＮインターフェイス１８及びＬＡＮカード１９を用い、予め記憶しているＵＲＬにて放送番組の世間関心度を提供するランキングサイトにアクセスし、各放送番組の世間関心度情報（数値又は図柄）を取得し、該情報を、例えば、メモリ１４（不揮発性メモリ等）に記憶する。
【００４３】
（４）ユーザの嗜好による番組関心度と世間関心度との調整
或る番組の世間関心度が高いからといって、該番組に対するユーザの関心度が高いとは限らない。その一方で、ユーザは世間関心度が高い番組をなるべく見たいと思う場合もある。そこで、番組の世間関心度が高く、尚且つユーザの関心度も高いほど、該ユーザへ推奨すべき番組であるとみなす。別言すれば、番組の世間関心度が高くても、ユーザの関心度が低いならば、該ユーザへ推奨すべき番組としては順位を下げる処理を行う。
【００４４】
或る番組についてユーザの関心度を測定するには、いわゆるユーザの嗜好を判断する手法を用いる。この手法自体については従来から存在する手法を用いればよい。例えば、簡易な方法としては、受信装置のユーザ設定画面等において、番組のジャンルを列記し（表示し）、ユーザの好きなジャンルを一つ又は複数選択させる。ＣＰＵ１３は、選択されたジャンルの番組には「０」を与え、選択されなかったジャンルの番組には「−２０」を与える。すなわち、「０」と「−２０」が、数値から成る、各放送番組のユーザ関心度情報となる。そして、ＣＰＵ１３は、各放送番組の世間関心度情報（数値）から、各放送番組のユーザ関心度情報（数値）を減算する処理を行うことにより、該ユーザの、数値から成る、各放送番組の推奨度情報を生成する。すなわち、ユーザによって選択されたジャンルの番組であれば、世間関心度情報（数値）がそのまま該ユーザの、該放送番組についての推奨度情報となり、ユーザにより選択されなかったジャンルの番組であれば、世間関心度情報（数値）から「２０」を引いた数値が、該ユーザの、該放送番組についての推奨度情報となる。かかる処理は、各放送番組の世間関心度情報に対し、各放送番組のユーザ関心度情報で補正（重み付け）を行うことに相当することになる。そして、このような補正（重み付け）に相当する処理であれば、上述したような減算処理に限らず、乗算や除算を利用した処理を行うこととしてもよいものである。
【００４５】
ユーザの嗜好を判断する手法としては、更に、上記のジャンル選択に限らず、ユーザの好みの放送局やユーザがよく視聴する時間帯をユーザにより入力させることもできる。この場合、例えば、選択された時間帯の番組には「０」を与え、選択されなかった時間帯の番組には「−１０」を与える。このような時間帯と前記ジャンルとを組み合わせて処理を行うこととしてもよい。
【００４６】
また、ユーザ入力ではなく、ディジタル放送の視聴履歴やディジタル放送の録画履歴（各番組についての、所定期間内の視聴／録画の総時間や選局回数など）などから、ユーザの嗜好を自動判断することもできる。具体的には、所定期間内の視聴／録画の総時間が長いほど、また選局回数が多いほど、番組或いは放送局に対するユーザの嗜好度合いが高いとみることができる。かかる場合も、ユーザの嗜好を、各放送番組のユーザ関心度情報とすることができる。また、ディジタル放送の視聴履歴やディジタル放送の録画履歴から、ユーザが好むジャンル、放送局、時間帯などを推定することもできる。例えば、録画された各番組の各ジャンルを記憶しておき、所定期間内或いは当初からの累積において、録画時間の総和又は録画回数の総和を、該ユーザのジャンルの嗜好度とすることができる。例えば、上位３つのジャンルには「＋２０」、次の順位の３つのジャンルには「＋１０」を与える。また、視聴されたことのないジャンルには、例えば、「−２０」を与える。
【００４７】
数段階でユーザに対する放送番組についての推奨度情報を表す場合、該推奨度の点数（数値）に基づいて、図柄から成る、各放送番組のユーザに対する推奨度情報を生成することもできる。例えば、１００点は☆☆☆、６０点は☆☆、３０点は☆のごとくである。
【００４８】
なお、一つの受信装置に対して複数のユーザが存在する場合、各ユーザごとに嗜好度（各放送番組のユーザ関心度情報）を取得するには、先述したユーザ設定画面等におけるユーザ入力の手法を利用し、この入力に先立ってユーザ名（愛称等を含む）を入力するようにすると容易になる。ユーザごとの嗜好度を得ることができれば、ユーザごとに各番組についての推奨度を生成できる。
【００４９】
（５）各放送番組の世間関心度情報の活用
以下の例では、各放送番組の世間関心度情報の活用を示すが、ユーザに対する放送番組についての推奨度情報の活用についても同様である。ＣＰＵ１３は、例えば、図３（ａ）（ｂ）に示すように、放送番組の一覧表示及び／又は電子番組ガイド（ＥＰＧ）表示を行う。そして、ＣＰＵ１３は、前記一覧表示及び／又は電子番組ガイド表示を行う際に、各放送番組の表示欄上で、各放送番組の世間関心度を、数値又は図柄で表示する（図３では、図柄を表示する場合を例示している）。放送番組の一覧表示は、現在放送中の番組に限らず、例えば、番組データが存在すれば放送予約の番組対象としてもよい。なお、☆の図柄に替えて、色図柄を採用してもよい。例えば、☆☆☆に替えて、該番組の表示欄の背景色を赤色とし、☆☆に替えて、該番組の表示欄の背景色を緑色とし、☆に替えて、該番組の表示欄の背景色を青色とし、☆無しは該番組の表示欄の背景色を白色とする。また、☆☆☆についてだけ、該番組の表示欄の背景色を赤色とし、他は白色とすることとしてもよい。なお、図３（ａ）では、世間関心度の表示のパターンをＥＰＧ画面上で選べるようにしている。「次パターン」を押下すると、図柄表示の世間関心度提示から、数値表示の世間関心度表示に変化するようにしている。
【００５０】
ＣＰＵ１３は、図３（ｂ）に示しているように、放送番組の一覧表示を、世間関心度の数値が高い順に並べて（ソートして）、放送番組を表示することとしてもよいが、順不同としてもよい。図１に示すブロック図では、地上ディジタル放送だけを受信する形態を示しているが、ＢＳディジタル放送やＣＳディジタル放送を受信すべく複数のチューナを備えることが可能である。このような複数チューナ構成の場合、地上ディジタル放送とＢＳディジタル放送とＣＳディジタル放送の全てを対象として、各放送番組をその世間関心度の数値が高い順に並べ替えて、放送番組を表示することもできる。例えば、リモコン送信機１５には「なにみるガイド」といったボタンが設けられる。ユーザによって上記ボタンが押下されたことをＣＰＵ１３が検出すると、ＣＰＵ１３は上述した番組一覧表示を行う。
【００５１】
なお、画面の隅などに現在受信している放送のチャンネル番号をＯＳＤ機能を用いて表示することができるが、現在受信している放送（番組）の世間関心度を画面の隅などに表示することとしてもよい。
【００５２】
（おまかせチャンネル）
ＣＰＵ１３は、現在放送されている放送番組のなかで、放送番組の世間関心度が最も高い放送番組を選局して画面表示する。例えば、リモコン送信機１５に「おまかせチャンネル」といったボタンを設けておく。ユーザによって上記ボタンが押下されたことをＣＰＵ１３が検出すると、ＣＰＵ１３は上述した選局処理を実行することとしてもよい。
【００５３】
更に、ＣＰＵ１３は、上記の選局処理を行うと同時にタイマーを起動し、設定時間が経過すると、その時点で放送されている放送番組のなかで、放送番組の世間関心度が最も高い放送番組を選局して画面表示する。このような自動チャンネル選択処理は、店舗や店頭などでのバックグランド映像の提供などに利用することができる。また、例えば、リモコン送信機１５の無操作状態が一定時間以上継続した場合（このときに警告メッセージを画面に表示してもよい）に、上記自動チャンネル選択処理を行うこととしてもよい。
【００５４】
図５は上記の処理内容を示したフローチャートである。ステップＳ２１において行うおまかせチャンネル設定条件の取得は、ＣＰＵ１３が、予めユーザ設定画面上で設定された内容（メモリ１４に保存）から、例えば、チャンネル更新間隔（先述した設定時間）、対象ネットワークを選択する処理である。前記対象ネットワークの選択は、地上ディジタル放送とＢＳディジタル放送とＣＳディジタル放送のいずれかの選択である。
【００５５】
ステップＳ２２〜２５では、その時点において放送されている放送番組のなかで、放送番組の世間関心度が最も高い放送番組を抽出する処理が行われ、ステップＳ２６において、放送番組の世間関心度が最も高い放送番組を選局して映像表示を行う処理がなされる。そして、タイマーの出力ｔがチャンネル更新間隔Ｔを超えたかどうかを判断する（ステップＳ２８）。超えておらず、終了イベントを受信していなければ（ステップＳ２９でＮＯ）、待機及びタイマー更新を行い（ステップＳ３０）、ステップＳ２８に戻る。一方、超えたときには、ステップＳ２２に戻る。なお、終了イベントを受信するのは、リモコン送信機１５でおまかせチャンネルを解除する指令がなされたとき（例えば、再度の「おまかせチャンネル」ボタンの押下）であり、このときには、おまかせチャンネルのモードを終了する。
【００５６】
（グラフ表示機能）
ＣＰＵ１３は、各放送番組の世間関心度の過去から現在に至る数値や図柄をメモリ１４に保持する。そして、ＣＰＵ１３は、ユーザによって指定された放送番組についての世間関心度の過去から現在に至る数値から、ＯＳＤ機能を利用してグラフ（折れ線グラフ、棒グラフ等）を作成してディスプレイに表示する。例えば、ユーザは、或る番組の視聴中に、リモコン送信機１５に設けられている「関心度の推移」といったボタンを押下する。この押下を検出したＣＰＵ１３は、上下２画面分割処理を行い、下側の画面に、該番組の世間関心度の推移を示す前記グラフを表示する。これにより、ユーザは、該番組の番組の世間関心度の推移を認識することができる。また、前記グラフ或いはグラフの元となる数値や図柄から、ＣＰＵ１３は、番組の世間関心度が上昇傾向にあるか否かを判断することができる。例えば、メニュー画面上で、「世間関心度が上昇傾向にある番組を提示する」といったメニューがユーザによって選択されると、ＣＰＵ１３は、放送番組の世間関心度が上昇傾向にある番組の一覧を表示する。これにより、世間の関心度が上昇傾向の番組を見てみたいとするユーザの要求に応えることができる。
【００５７】
例えば、先述した、ランキングサイト自身が放送番組の世間関心度（放送番組ランキング）を提供する場合に、各放送番組に関連する一つ又は複数のネットワーク上の情報提供資源の場所（ＵＲＬ等）を付加しておくとよい。例えば、該番組がドラマであれば、そのドラマのホームページ、ドラマの撮影現場の写真集、出演者たちの写真集、主人公のブログ、著者のホームページなどである。ディジタル放送受信装置は、ランキングサイトから受信したブラウザ文書内から、前記ＵＲＬ等を抽出する。ユーザが放送受信ではなくて、世間関心度が高い番組に関連するホームページ表示を例えばメニュー画面上で要求した場合には、ＣＰＵ１３は上記ホームページ等にアクセスし、ブラウザ機能によって画面表示を行う。上記ホームページ等が複数存在するときには、一定時間ごとに上記ホームページ等を切り替えていくことで、スライド的な表示が行われることになる。
【００５８】
上記実施例では、ハードディスクレコーダとしての実施形態を示したが、これに限らず、ポータブルタイプや据え置き型の放送受信装置、携帯電話、ディジタル放送受信機能付きカーナビゲーション、パーソナルコンピュータなどとして構成することも可能である。
【図面の簡単な説明】
【００５９】
【図１】この発明の実施形態のディジタルチューナ付きハードディスクレコーダ（ディジタル放送受信装置）を示したブロック図である。
【図２】この発明の実施形態の処理内容を示したフローチャートである。
【図３】この発明の実施形態の処理内容を示したフローチャートである。
【図４】この発明の実施形態を示す図であって、同図（ａ）はＥＰＧの一例を示した説明図、同図（ｂ）は番組一覧画面を示した説明図である。
【図５】この発明実施形態の処理内容を示したフローチャートである。
【符号の説明】
【００６０】
２    地上ディジタルチューナ
３    デコーダ
４    映像処理部
５    音声処理部
１３  ＣＰＵ
【図１】
2008078946.tif 000003
【図２】
2008078946.tif 000004
【図３】
2008078946.tif 000005
【図４】
2008078946.tif 000006
【図５】
2008078946.tif 000007